(57)【要約】【課題】回転台を回転させる簡単な操作で、同じ形状のアクセサリー玩具を作成することができ、年少者にもアクセサリー玩具を作成する喜びや楽しさを味あわせることができるフラワー玩具製造装置を提供すること。【解決手段】基台３の上面には支持軸１２を上方に突設させるとともに、花弁を模して形成された複数の係合体１１を上記支持軸１２の外方に環状、且つ等間隔に配置した回転台と、上記支持軸１２に取付けたフラワー玩具Ｂの花軸体５と上記係合体１１との間にワイヤーを掛け合わせるワイヤー供給装置３０とを並設し、上記ワイヤー供給装置３０は上記回転台１０の回転に連動し、ワイヤー１の繰り出し部を上下動させ、下動した時には上記係合体１１の一つと上記花軸体５とにワイヤー１を掛け渡した。【選択図】図１
2005161548.tif 000002
【特許請求の範囲】
【請求項１】
以下の要件を備えることを特徴とする、フラワー玩具製造装置。
（イ）基台の上面には外部から回転操作可能な回転台を配置し、該回転台の上面には支持軸を上方に突設させるとともに、花弁を模して形成された複数の係合体を上記支持軸の外方に環状、且つ等間隔に配置したこと
（ロ）フラワー玩具の花軸体は上記支持軸に着脱可能に形成され、該花軸体と上記係合体との間にワイヤーを掛け合わせるワイヤー供給装置を上記回転台に並設したこと
（ハ）上記ワイヤー供給装置は上記回転台の回転に連動し、ワイヤーの繰り出し部を上下動させ、下動した時には上記係合体の一つと上記花軸体とにワイヤーを掛け渡すこと
（二）上記回転台に上記係合体を上記支持軸方向に移動させる移動機構を設けたこと
【請求項２】
以下の要件を備えることを特徴とする、請求項１記載のフラワー玩具製造装置。
（イ）前記係合体を第1の係合体と第２の係合体で構成し、第１の係合体の上部に第２の係合体を突出して設けたこと
（ロ）上記第２の係合体は上記第１の係合体よりも前記支持軸側に位置するようにしたこと
（ハ）前記ワイヤー供給装置の繰り出し部の上下動の動作量を上記第１の係合体と、第２の係合体とに対応して選択する選択手段を設けたこと
【発明の詳細な説明】
【技術分野】
【０００１】
本発明は、フラワー玩具製造装置、詳しくは、ワイヤーを巻き回して花弁を形成するフラワー玩具製造装置に関するものである。
【背景技術】
【０００２】
アクセサリーや装飾品として様々なものが提案され実用化されているが、自分で作成する装飾品が提案されている（例えば、特許文献１）。
【０００３】
この装飾品は、手で簡単に曲げられる成型具の一部に留め具を設け、成型具を装飾品の用途により自由に形づくり、形づくった成型具に合わせた分量の螺旋状の細ワイヤーを束にして留め具に留め、全体の形を整えることにより装飾品を手作りできるようにしたものである。
【特許文献１】特開平８−２１９５号公報
【発明の開示】
【発明が解決しようとする課題】
【０００４】
本発明が解決しようとする問題点は、上述の装飾品はワイヤーを組み合わせてユーザーが自由に作成することはできオリジナリティーのある装飾品を作ることはできるが、あくまで手作りであって作成するための装置がなく、同じものを複数作成したり、年少者が作成したりする際には不向きな点であった。
【０００５】
本発明は、上記問題点を解決し、回転台を回転させる簡単な操作で、同じ形状のアクセサリー玩具を作成することができ、同一形状のアクセサリー玩具を多数作成することが可能になり、年少者にもアクセサリー玩具を作成する喜びや楽しさを味わうことができるフラワー玩具製造装置を提供することを課題とする。
【課題を解決するための手段】
【０００６】
前記課題を解決するために本発明に係るフラワー玩具製造装置は、以下の要件を備えることを特徴とする。
（イ）基台の上面には外部から回転操作可能な回転台を配置し、該回転台の上面には支持軸を上方に突設させるとともに、花弁を模して形成された複数の係合体を上記支持軸に所定間隔をおいて環状、且つ等間隔に配置したこと
（ロ）フラワー玩具の花軸体は上記支持軸に着脱可能に形成され、該花軸体と上記係合体との間にワイヤーを掛け合わせるワイヤー供給装置を上記回転台に並設したこと
（ハ）上記ワイヤー供給装置は上記回転台の回転に連動し、ワイヤーの繰り出し部を上下動させ、下動した時には上記係合体の一つと上記花軸体とにワイヤーを掛け渡すこと
（二）上記回転台に上記係合体を上記支持軸方向に移動させる移動機構を設けたこと
【０００７】
なお、上述のフラワー玩具製造装置は、以下の要件を備えることを特徴とする。
（イ）前記係合体を第1の係合体と第２の係合体で構成し、第１の係合体の上部に第２の係合体を重合したこと
（ロ）上記第２の係合体は上記第１の係合体よりも前記支持軸側に位置するようにしたこと
（ハ）前記ワイヤー供給装置の繰り出し部の上下動の動作量を上記第１の係合体と、第２の係合体とに対応して選択する選択手段を設けたこと
【発明の効果】
【０００８】
請求項１の発明によれば、回転台を回転させることによりワイヤー供給装置は回転台上に設けた花弁を模して形成した係合体と回転台の中心にある支持軸との間にワイヤーを掛け渡していくので、回転台を回転させるという操作によりワイヤーで花弁を作成することができ、同じ形状のフラワー玩具を簡単に作成することができるので年少者にもフラワー玩具を作成する楽しみと喜びを味わわせることができる。
【０００９】
請求項２の発明によれば、回転台を回転する際に選択手段で繰り出し部の上下動の動作量を設定することにより、簡単に大きな花弁と小さな花弁を持つフラワー玩具を作成することができる。
【発明を実施するための最良の形態】
【００１０】
基台の上面には一定方向に回転可能な回転台が配置され、該回転台の上面には支持軸を上方に突設させるとともに、花弁を模して形成された複数の係合体を上記支持軸に所定間隔をおいて環状、且つ等間隔に配置し、フラワー玩具の花軸体を上記支持軸に取着し、該花軸体と上記係合体との間にワイヤーを掛け合わせるワイヤー供給装置を上記回転台に並設するとともに、上記ワイヤー供給装置を上記回転台の回転に連動させてワイヤーの繰り出し部を上下動させ、下動した時には上記係合体の一つと上記花軸体とにワイヤーを掛け渡すことによりワイヤーで花弁を形成できるようにした。
【実施例１】
【００１１】
図１は、本発明に係るフラワー玩具製造装置の一例を示し、このフラワー玩具製造装置Ａはワイヤー１を巻き回して花弁２を形成することによりフラワー玩具Ｂを製造する製造装置である。
【００１２】
フラワー玩具Ｂは花軸体５を中心にワイヤー１をサイクロイド状に巻き回して花弁２を形成し、花軸体５の先端に花芯体６を嵌め込むことにより構成されているものである。
【００１３】
上記製造装置Ａは、基台３の上面に回転可能に配置された回転台１０と、この回転台１０を回転させる駆動部２０と、回転台１０の回転に連動して作動するワイヤー供給装置３０とから主に構成され、上記回転台１０は上面に花弁を模した係合体１１と、回転台１０の中心に配置された支持軸１２とが設けられている。
【００１４】
駆動部２０は基台３の上面に形成された支軸２１に回転可能に軸支された操作円板２２と、操作円板２２と同軸上で円板の下面に形成された平歯車２３と、この平歯車２３に噛み合った２段歯車２４とで構成され、操作円板２２の上面に形成されたハンドル２５を摘んで操作円板２２を回転することにより２段歯車２４を回転させることができるようになっている。
【００１５】
回転台１０は、図２に示すように、上記２段歯車２４の小歯車２４ａに噛み合う大きな平歯車１３と、この平歯車１３の支持軸１２上に平歯車１３とは独立して回動可能に軸支された回動盤１４と、この回動盤１４上に配置され上記平歯車１３の支持軸１２に軸着されて平歯車１３と一体に回転する支持盤１５とから構成され、平歯車１３は駆動部２０を操作することによって回転し、回転台１０が回転するようになっている。上記支持軸１２の上部１２ａは細軸に形成され、この細軸１２ａには後述するフラワー玩具Ｂの基部となる花軸体５を差し込めるようになっている。なお、上記回動盤１４と支持盤１５とは係合体１１を中心に向かって移動させる移動機構１６を構成している。
【００１６】
回動盤１４は手で回せるように周面に手掛かりとなる凹凸溝１７が周設され、盤面には後述する係合体１１の底面に形成された第1の係合軸２６が挿通する長孔１８が複数（本実施例では、６個）形成されている。この長孔１８は外周方向から内周方向に斜めに形成されている。
【００１７】
支持盤１５は平歯車１３の支持軸１２に軸着されて平歯車１３と一体に回転するようになっており、盤面には後述する係合体１１の底面に形成された第１の係合軸２６と第２の係合軸２７とが係合する複数（本実施例では、６個）の長孔１９が放射状に形成されている。
【００１８】
回転台１０の上面（支持盤１５の盤面）には複数（本実施例では、６個）の係合体１１（１１−１〜１１−６）が配置されている。この係合体１１は、図３に示すように、花弁の形状を模して略台形状に形成され、上端周面には張り出し部１１ａが形成され、底面には第１の係合軸２６と、第２の係合軸２７とが突出形成されている。
【００１９】
第１の係合軸２６は上記支持盤１５の長孔１９と、回動盤１４の長孔１８とを貫通し、回動盤１４の裏面に突出し、その先端には抜け止め用の鍔体２８が固定され、回動盤１４（回転台１０）から離脱できないようになっている。この鍔体２８は、第１の係合軸２６を回動盤１４の長孔１８を貫通させた後に適宜手段（ネジ止め、嵌着等）で第１の係合軸２６の先端に固定すればよい。
【００２０】
そして、第２の係合軸２７は上記上記支持盤１５の長孔１９に係合し、上記回動盤１４には到達しない長さに形成され、係合体１１は第１の係合軸２６と第２の係合軸２７とが長孔１９に係合しているので回転台１０の回転と一体になって周方向に回転移動するようになっている。
【００２１】
上記係合体１１は、第１の係合軸２６と第２の係合軸２７とが支持盤１５の長孔１９に係合し、第１の係合軸２６が支持盤１５を貫通し回動盤１４の長孔１８に係合しているので、回動盤１４のみを手で時計方向に回動させると、回動盤１４の長孔１８に案内されて第１の係合軸２６が内周方向に移動させられるので係合体１１を支持盤１５の長孔１９に沿って内周方向にスライド移動させることができ、回動盤１４を反時計方向に回動させた場合は回動盤１４の長孔１８に案内されて第1の係合軸２６が外周方向に移動させられるので係合体１１を支持盤１５の長孔１９に沿って外周方向にスライド移動させることができる。なお、係合体１１に対し内周方向に外力を加えても係合体１１が内周方向に移動しないように、長孔１８の終端部１８ａは回動盤１４の周方向に曲折させてある。
【００２２】
次に、ワイヤー供給装置３０について説明する。このワイヤー供給装置３０は糸巻き３１に巻いたワイヤー１を回転台１０上の係合体１１と支持軸１２に取付けた花軸体５とに掛け渡すもので、糸巻き３１を保持する保持体３２と、この保持体３２を上下に回動させる回動機構３３とから構成されている。
【００２３】
保持体３２はワイヤーを繰り出す繰り出し部である保持板３４とアーム部材３５とからなり、保持板３４は上面に糸巻き３１を立てる糸立て棒３６が形成され、先端両側部から前方にフック部３７が突出形成され、裏面にはガイド軸３８が下方に突出して形成され、軸体３９でアーム部材３５の上面に上下に回動可能に軸支されている。なお、上記ガイド軸３８にはスプリング４７が圧縮した状態でワッシャー４８を介してネジ止めされているので、上記保持板３４とアーム部材３５とは圧接した状態になっている。
【００２４】
アーム部材３５は、軸体４１で支柱４０に上下に回動可能に支持され、常に上方に回動するようにスプリング４２で付勢されている。このアーム部材３５は軸部から下方にアーム４３が突出形成されこのアーム４３の先端にはローラ４４が支持され、このローラ４４は上記スプリング４２に付勢されてカム付歯車４５のカム４６の周面に当接している(図４（ａ）参照)。このカム歯車４５は上述した回転台１０の平歯車１３に噛み合い、回転台１０の回転に連動してカム付歯車４５が１回転するたびに１回アーム部材３５を下方に回動するようになっている(図４（ｂ）参照)。
【００２５】
なお、上記回転台１０の平歯車１３と、カム付歯車４５とは平歯車１３の所定量の回転（本実施例では、５／６回転）でカム付歯車４５が１回転するように設定され、なお且つ係合体１１がワイヤー供給装置３０の近傍を通過するタイミングでカム４６にローラ４４が対応するように設定されている。
【００２６】
なお、図４（ａ）（ｂ）は、係合体とワイヤー供給装置との関係を説明するために、ワイヤー供給装置と回転台とを一直線上に配置した状態で表示した。
【００２７】
次に、上記構成のフラワー玩具製造装置Ａの使用態様について説明する。
【００２８】
先ず、回転台１０の支軸に花軸体を嵌め込み、回転台１０の回動盤１４を反時計方向に回動し、係合体１１を支持盤１５の外周方向に最大限移動させる。次に、ワイヤー１の巻装された糸巻き３１を糸立て棒に立て、ワイヤー１を爪とアーム部材３５との間を挿通させ、ワイヤー１の先端を花軸体５の軸部に形成された小孔５ｂに挿通して結んだ後、ワイヤー１が弛まないように糸巻き３１を巻き戻す。ワイヤー１は保持体３２とアーム部材３５とがスプリングで圧接しているのでワイヤー供給装置３０と花軸体の間で緊張した状態でセットされる。
【００２９】
次にハンドルを時計方向に回して回転台１０を時計方向に回転させる。回転台１０の回転とアーム部材３５の上下動とは同期（回転台１０が６分の５回転したときカム付歯車４５が１回転）しているので、１つの係合体１１（例えば、係合体１１−１）がワイヤー供給装置３０に接近したとき、カム４６がローラ４４に係合し、これをスプリング４２に抗して外方に押し出すので、図４（ｂ）に示すように、アーム部材３５は下方に回動してワイヤー１は、図５に示すように、花軸体５と係合体１１−１とに掛け渡され、回転台１０が回転して隣の係合体１１−２がワイヤー供給装置３０に接近したとき、カム４６がローラ４４に係合し、これをスプリング４２に抗して外方に押し出すので、アーム部材３５は再び下方に回動してワイヤー１は、花軸体５から係合体１１−２に掛け渡され、ハンドル２５を回しつづけると、ワイヤー１が花軸体５と係合体１１−３〜１１−６とに順次掛け渡され、リング状の花弁２が形成される。
【００３０】
花弁２が形成されたならば、リング状の花托体７を花軸体５の軸部に嵌装し（図６（ａ）参照）、ワイヤー１が緩まないように固定した後、供給装置３０からのワイヤー１をハサミなどで切ればよい。
【００３１】
次に、回動盤１４を時計方向に回動させ、係合体１１を内周方向にスライド移動させる。係合体１１が内周方向に移動するとワイヤー１が張り出し部１１ａから外れるので、花軸体５を回転台１０の支持軸１２から抜き取ればよい。花軸体５には支持軸１２に挿通させるための貫通孔５ａが形成されているので、図６（ｂ）に示すように、花芯体６の軸部６ａを花軸体５の上端側の貫通孔５ａに嵌め込み、茎体８を花軸体５の下端側の貫通孔５ａに嵌め込めば、図６（ｃ）に示すように、花を模したアクセサリー玩具Ｂを作成することができる。
【００３２】
ワイヤー１の色が異なる糸巻き３１をセットしてアクセサリー玩具Ｂを形成すれば、様々な色の花を模したアクセサリー玩具Ｂを簡単に作成することができる。
【実施例２】
【００３３】
図７、図８は、フラワー玩具製造装置の他の例を示し、このフラワー玩具製造装置Ａ’は、大小の２種類の花弁２、２’からなるフラワー玩具Ｂ’を製造することができるようにしたものである。
【００３４】
この製造装置Ａは、回転台１０の上面に配置される係合体１１’が第１の係合体５０と第２の係合体５１とから構成され、ワイヤー供給装置６０が上記第１の係合体５０にワイヤー１を掛けるのか、第２の係合体５１にワイヤー１を掛けるのかを選択できるように選択手段６１を設けたものである。
【００３５】
なお、上記、第１の係合体５０と第２の係合体５１とにはそれぞれ掛け渡したワイヤーが外れないように張り出し部５０ａ、５１ａがそれぞれ形成されている（図９参照）。
【００３６】
ワイヤー供給装置６０は糸巻き３１に巻いたワイヤー１を回転台１０上の係合体１１’と支持軸１２に取付けた花軸体５とに掛け渡すもので、糸巻き３１を保持する保持体３２と、この保持体３２を上下に回動させる回動機構３３とから構成され、この回動機構３３には保持体３２の上下の回動量を選択する選択手段６１が配置されている。
【００３７】
保持体３２はワイヤーを繰り出す繰り出し部である保持板３４とアーム部材３５とからなり、保持板３４は上面に糸巻き３１を立てる糸立て棒３６が形成され、先端両側部から前方にフック部３７が突出形成され、裏面にはガイド軸３８が下方に突出して形成され、軸体３９でアーム部材３５の上面に上下に回動可能に軸支されている。
【００３８】
アーム部材３５は、軸体４１で支柱４０に上下に回動可能に支持され、常に下方に回動するようにスプリング６２で付勢されている。このアーム部材３５は底面中央部から下方に係合板６３が突出形成され、この係合板６３は平歯車１３に噛み合う歯車６５の上面に形成されたカム筒６６の上端面（カム面）に常に当接し、上方に回動した状態が維持されるようになっている（図１０（ａ）参照）。この状態では、ワイヤー１は係合体１１に係合することはない。
【００３９】
カム筒６６は一部が切り欠かれ、この切り欠き部６７に係合板６３が対応するときは、アーム部材３５はスプリング６２に付勢されて下方に回動するようになっている。
【００４０】
このカム筒６６にはアーム部材３５の回動量を調整する調整部材６１が配置されている。この調整部材６１はカム筒６６の外側に摺動可能に嵌め合わせたカム筒６６よりも低い筒部材で構成され、この筒部材６１の一部は切り欠かれ、この切り欠き部６８を上記係合板６３に対応する位置にセットするか、対応しない位置にセットするかを選択する操作レバー６９が後方に突出形成されている。
【００４１】
次に、上記構成のフラワー玩具製造装置Ａ’の使用態様について説明する。
【００４２】
先ず、回転台１０の支軸に花軸体５を嵌め込み、回転台１０の回動盤１４を反時計方向に回動し、係合体１１’を支持盤１５の外周方向に最大限移動させる。次に、ワイヤー１の巻装された糸巻き３１を糸立て棒に立て、ワイヤー１を爪とアーム部材３５との間を挿通させ、ワイヤー１の先端を花軸体５の軸部に形成された小孔５ｂに挿通して結んだ後、ワイヤー１が弛まないように糸巻き３１を巻き戻す。ワイヤー１は保持体３２とアーム部材３５とがスプリングで圧接しているのでワイヤー供給装置３０と花軸体の間で緊張した状態でセットされる。
【００４３】
次に、操作レバー６９を右に回動し、切り欠き部６８をアーム部材３５に形成された係合板６３に対応する位置にセットする（図１０（ａ）参照）。この状態で、ハンドル２５を時計方向に回して回転台１０を時計方向に回転させる。回転台１０の回転とアーム部材３５の上下動とは同期（回転台１０が６分の５回転したときカム付歯車４５が１回転）しているので、係合体１１’がワイヤー供給装置３０に接近したとき、切り欠き部６７が係合板６３に対応する位置に到達すると、スプリング６２に付勢されてアーム部材３５は下方に回動するが、切り欠き部６８が対応する位置にセットされているので、アーム部材３５は最大限下方に回動する（図１０（ｂ）参照）。アーム部材３５が最大限下方に回動すると、ワイヤー１は第１の係合体５０に係合し、花軸体５と第１の係合体５０とにワイヤー１が掛け渡され、図１１に示すように、大きい花弁２が形成される。
【００４４】
小さい花弁２’を形成する場合は、操作レバー６９を左に回動し、切り欠き部６８をアーム部材３５に形成された係合板６３に対応しない位置にセットする（図１０（ｃ）参照）。
【００４５】
この状態で、ハンドル２５を時計方向に回して回転台１０を時計方向に回転させる。回転台１０の回転とアーム部材３５の上下動とは同期しているので、係合体１１がワイヤー供給装置６０に接近したとき、切り欠き部６７が係合板６３に対応する位置に到達すると、スプリング６２に付勢されてアーム部材３５は下方に回動するが、切り欠き部６８が対応する位置にセットされていないので、係合板６３は筒部材６１の上端面に当接し、アーム部材３５の回動量は制限される（図１０（ｄ）参照）。この状態ではワイヤー１は第２の係合体５１に対応し、花軸体５と第２の係合体５１との間にワイヤー１が掛け渡され、図１１に示すように、小さい花弁２’が形成されることになる。
【００４６】
花軸体５に花弁２、２’を形成したら、上述の製造装置Ａと同様に、リング状の花托体７を花軸体５の軸部に嵌装し（１２（ａ）参照）、ワイヤー１が緩まないように固定した後、供給装置６０からのワイヤー１をハサミなどで切ればよい。
【００４７】
次に、回動盤１４を時計方向に回動させ、係合体１１’を内周方向にスライド移動させる。係合体１１’が内周方向に移動するとワイヤー１と係合体１１’（５０、５１）との係合が外れるので、花軸体５を回転台１０の軸部から抜き取ればよい。花軸体５には支持軸１２に挿通させるための貫通孔５ａが形成されているので、図１２（ｂ）に示すように、花芯体６の軸部６ａを花軸体５の上端側の貫通孔５ａに嵌め込み、茎体８を花軸体５の下端側の貫通孔５ａに嵌め込めば、図１２（ｃ）に示すように、花を模したアクセサリー玩具Ｂ’を作成することができる。
【００４８】
上述したように、回動盤を回転させながらワイヤーを選択的に係合体に掛け渡すので、操作板を操作して回動盤を回転させるだけで簡単にフラワー玩具を作成することができ、年少者でもフラワー玩具の作成を楽しむことができる。
【００４９】
なお、フラワー玩具を製造するに当たって使用されるワイヤー１は、ＰＥ（ポリエチレン）を主素材とした塑性変形特性を有する形状保持線材（例えば、三井化学株式会社製「テクノロート」（商標名））や、銅線等の金属線を用いればよい。このことにより、図６（ｄ）、図１２（ｄ）に示すように、蕾のように花弁を窄めた状態等の好みの形状にすることができる。また、形状保持はできないがテグスなどの樹脂線材であっても構わない。
【図面の簡単な説明】
【００５０】
【図１】本発明に係るフラワー玩具製造装置の斜視図
【図２】上記フラワー玩具製造装置の構成を説明する分解斜視図
【図３】係合体の構成を説明する斜視図
【図４】（ａ）（ｂ）は上記フラワー玩具製造装置の作動態様の説明図
【図５】係合体にワイヤーが掛け渡された状態を説明する平面図
【図６】（ａ）〜（ｄ）は上記フラワー玩具製造装置で作成したフラワー玩具の最後の処理を説明する斜視図
【図７】フラワー玩具製造装置の他の例を説明する斜視図
【図８】上記他の例のフラワー玩具製造装置の構成を説明する分解斜視図
【図９】係合体の構成を説明する斜視図
【図１０】（ａ）〜（ｄ）は上記他の例のフラワー玩具製造装置の作動態様の説明図
【図１１】係合体にワイヤーが掛け渡された状態を説明する平面図
【図１２】（ａ）〜（ｄ）は上記他の例のフラワー玩具製造装置で作成したフラワー玩具の最後の処理を説明する斜視図
【符号の説明】
【００５１】
１    ワイヤー
２    花弁
３    基台
５    花軸体
１０    回転台
１１    係合体
１２    支持軸
１６    移動機構
３０    ワイヤー供給装置
５０    第１の係合体
５１    第２の係合体
６０    ワイヤー供給装置
【図１】
2005161548.tif 000003
【図２】
2005161548.tif 000004
【図３】
2005161548.tif 000005
【図４】
2005161548.tif 000006
【図５】
2005161548.tif 000007
【図６】
2005161548.tif 000008
【図７】
2005161548.tif 000009
【図８】
2005161548.tif 000010
【図９】
2005161548.tif 000011
【図１０】
2005161548.tif 000012
【図１１】
2005161548.tif 000013
【図１２】
2005161548.tif 000014